(57)【要約】【課題】簡易な制御ブロック及び制御手順で各チャンネル毎にマルチアンテナを切替え、常に良好な受信状態が得られる室内テレビ放送再送信装置を提供する。【解決手段】室内の壁面アンテナ端子１側に再送信機１０、テレビ受像機５１側に中継受信機３０を配置する。中継受信機３０は複数の受信アンテナ３１ａ、３１ｂを備えると共にアンテナ情報設定メモリ４０を備える。中継受信機３０の設定用リモコン３９及びテレビ受像機５１のＴＶリモコン５３により各チャンネル毎に良好な受像状態が得られるように受信アンテナ３１ａ、３１ｂを選択し、チャンネルと関連付けて上記設定メモリ４０に記憶する。中継受信機３０はＴＶリモコン５３によりチャンネルが選択された際、上記設定メモリ４０からチャンネル情報に対応するアンテナ情報を取得して受信アンテナ３１ａ、３１ｂを選択し、再送信機１０から再送信されるテレビ放送波を受信してテレビ受像機５１へ出力する。【選択図】図１
2011217096.tif 000002
【特許請求の範囲】
【請求項１】
室内に設けられた壁面アンテナ端子側に配置され、該壁面アンテナ端子から供給されるテレビ放送波を再送信アンテナから再送信する送信機と、室内に設置されるテレビ受像機側に配置され、前記送信機から再送信されるテレビ放送波を複数の受信アンテナにより選択的に受信して前記テレビ受像機に出力する受信機とからなる室内テレビ放送再送信装置において、
前記受信機は、
前記複数の受信アンテナから前記テレビ受像機の各チャンネル毎に良好な受像状態が得られる受信アンテナを選択して対応するチャンネルと関連付けて設定する設定用リモコンと、
前記設定用リモコンによりチャンネルと関連付けて設定されたアンテナ情報を記憶するアンテナ情報設定メモリと、
前記テレビ受像機のチャンネルがＴＶリモコンの操作により選択された際、前記アンテナ情報設定メモリから前記選択されたチャンネルに対応するアンテナ情報を取得するアンテナ情報取得手段と、
前記アンテナ情報取得手段により取得したアンテナ情報に従って前記複数の受信アンテナを切替えるアンテナ切替手段と、
前記アンテナ切替手段により切替えられた受信アンテナにより前記送信機から再送信されるテレビ放送波を受信して前記テレビ受像機に出力する手段と
を具備することを特徴とする室内テレビ放送再送信装置。
【発明の詳細な説明】
【技術分野】
【０００１】
本発明は、一般家庭において、室内の壁面に設けられている壁面アンテナ端子部分から室内に設置されているテレビ受像機へテレビ放送波を再送信する室内テレビ放送再送信装置に関する。
【背景技術】
【０００２】
一般家庭においては、テレビ放送を視聴するために、室内の壁面に設けられている壁面アンテナ端子とテレビ受像機との間を同軸ケーブルにより接続している。上記壁面アンテナ端子には、屋外に設置されたテレビアンテナ等により受信したテレビ放送波が同軸ケーブルにより供給される。
【０００３】
しかし、上記のようにテレビ放送を視聴するために壁面アンテナ端子とテレビ受像機との間を同軸ケーブルにより接続する方法は、同軸ケーブルが室内レイアウトの障害になったり、見た目に見苦しいといった欠点を伴っている。
【０００４】
このような問題を解決するために、従来から電波を使用して壁面アンテナ端子部分からテレビ受像機側へテレビ放送波を再送信する室内テレビ放送再送信装置が提案されている。
【０００５】
上記室内テレビ放送再送信装置を使用して地上デジタルテレビ放送をテレビ受像機へ再送信する場合、周辺を壁面で囲まれている室内では多数のマルチパスによって周波数選択性フェージングが大きくなり、テレビ受像機での良好な受像の障害になる。
【０００６】
このような問題を解決するため、マルチアンテナによるダイバーシチの効果を利用し、アンテナの指向性、空間位置、偏波特性などを、複数のアンテナで互いに無相関になる条件で切替または電力合成して使用することで、補間受信する方法が従来から考えられている。この場合、マルチアンテナの制御において、室内の環境条件、例えば部屋形状、テレビ受像機や他の家具の配置などによってフェージングの現れ方が異なるので、これに対応するためにチューナユニットでの復調処理から得られる受信レベルやＢＥＲ（Bit Error Rate）、ＭＥＲ（Modulation Error Ratio）などの変動を検知してフィードバック制御を行うことによりアンテナの切替及び電力合成を行う方法が行われている。
【０００７】
また、本発明に関連する公知技術として、オンエア電波のレベルが低いか、またはオンエア電波が届かないためにＣＡＴＶによる地上デジタルテレビ放送の再送信を行っている地域において、室内の壁面に設けられたテレビ端子にＡＧＣ回路を備えた増幅装置を同軸ケーブルにより接続し、該増幅装置により増幅された信号を再送信アンテナから屋内の地上デジタルテレビ放送受信機に再送信することにより、屋内でポータブルテレビ等によりテレビ放送を簡易に受信できるように構成した室内再送信装置が知られている（例えば、特許文献１参照。）。
【先行技術文献】
【特許文献】
【０００８】
【特許文献１】特開２００４−１２８７１９号公報
【発明の概要】
【発明が解決しようとする課題】
【０００９】
上記のように周波数選択性フェージングによる影響を無くすため、マルチアンテナによるダイバーシチの効果を利用して補間受信する場合、従来ではテレビ受像機のチューナユニットの復調処理から得られる受信レベルやＢＥＲ（Bit Error Rate）、ＭＥＲ（Modulation Error Ratio）などの変動を検知してフィードバック制御によりアンテナの切替及び電力合成を行っているが、この制御方法は非常に複雑な制御ブロック及び制御手順を必要とすると共に、非常に高価な機器構成になるという問題がある。
【００１０】
本発明は上記の課題を解決するためになされたもので、再送信装置から再送信した地上デジタルテレビ放送をマルチアンテナによるダイバーシチの効果を利用して受信する場合、簡易な制御ブロック及び制御手順でマルチアンテナを切替えることができ、室内利用に適した良好なテレビ受像が可能な室内テレビ放送再送信装置を提供することを目的とする。
【課題を解決するための手段】
【００１１】
本発明は、室内に設けられた壁面アンテナ端子側に配置され、該壁面アンテナ端子から供給されるテレビ放送波を再送信アンテナから再送信する送信機と、室内に設置されるテレビ受像機側に配置され、前記送信機から再送信されるテレビ放送波を複数の受信アンテナにより選択的に受信して前記テレビ受像機に出力する受信機とからなる室内テレビ放送再送信装置において、
前記受信機は、前記複数の受信アンテナから前記テレビ受像機の各チャンネル毎に良好な受像状態が得られる受信アンテナを選択して対応するチャンネルと関連付けて設定する設定用リモコンと、前記設定用リモコンによりチャンネルと関連付けて設定されたアンテナ情報を記憶するアンテナ情報設定メモリと、前記テレビ受像機のチャンネルがＴＶリモコンの操作により選択された際、前記アンテナ情報設定メモリから前記選択されたチャンネルに対応するアンテナ情報を取得するアンテナ情報取得手段と、前記アンテナ情報取得手段により取得したアンテナ情報に従って前記複数の受信アンテナを切替えるアンテナ切替手段と、前記アンテナ切替手段により切替えられた受信アンテナにより前記送信機から再送信されるテレビ放送波を受信して前記テレビ受像機に出力する手段とを具備することを特徴とする。
【発明の効果】
【００１２】
本発明によれば、室内テレビ放送再送信装置を使用して地上デジタルテレビ放送をテレビ受像機へ再送信する場合において、多数のマルチパスによって周波数選択性フェージングが生じている場合であっても、簡易な制御ブロック及び制御手順で複数のアンテナの中から最適なアンテナを各視聴チャンネル毎に選択して常に良好な受像状態に設定することができる。
【図面の簡単な説明】
【００１３】
【図１】本発明の実施例１に係る室内テレビ放送再送信装置の構成を示すブロック図である。
【図２】同実施例１における室内テレビ放送再送信装置の送信機側の処理動作を示すフローチャートである。
【図３】同実施例１における室内テレビ放送再送信装置の受信機側の処理動作を示すフローチャートである。
【図４】本発明の実施例２に係る室内テレビ放送再送信装置の構成を示すブロック図である。
【図５Ａ】同実施例２における室内テレビ放送再送信装置の送信機側の初期動作を示すフローチャートである。
【図５Ｂ】同実施例２における室内テレビ放送再送信装置の送信機側の通常動作を示すフローチャートである。
【図６Ａ】同実施例２における室内テレビ放送再送信装置の受信機側の初期動作を示すフローチャートである。
【図６Ｂ】同実施例２における室内テレビ放送再送信装置の受信機側の通常動作及び各視聴チャンネルと受信アンテナの関連付け動作を示すフローチャートである。
【発明を実施するための形態】
【００１４】
以下、本発明の実施の形態について図面を参照して詳細に説明する。
【実施例１】
【００１５】
図１は本発明の実施例１に係る指向性ダイバーシチ効果及び空間ダイバーシチ効果を利用した室内テレビ放送再送信装置の構成を示すブロック図である。
【００１６】
本発明の実施例１に係る室内テレビ放送再送信装置は、室内の壁面アンテナ端子１側に配置される再送信機１０と、テレビ受像機５１側に配置される中継受信機３０により構成される。
【００１７】
上記再送信機１０は、放送波入力端子１１、放送波再送信部１２、放送波切替スイッチ１６、再送信アンテナ１７、送信制御部２０、再送信制御スイッチ２１を主体として構成される。
【００１８】
上記再送信機１０の電源は、例えば１００Ｖの商用交流電源（図示せず）に接続される電源アダプタ２２により供給される。電源アダプタ２２は、商用交流電源を所定の直流電圧に変換し、送信制御部２０に動作電圧を供給すると共に、更に再送信制御スイッチ２１を介して放送波再送信部１２に動作電圧を供給する。
【００１９】
送信制御部２０は、電源が供給されたときに初期動作を実行し、放送波切替スイッチ１６を端子ｂ側（終端器１８側）に切替えると共に再送信制御スイッチ２１をオンして放送波再送信部１２に動作電源を供給する。送信制御部２０は、上記初期動作を実行して微弱無線局条件を満足すると通常動作に移行する。
【００２０】
上記再送信機１０の放送波入力端子１１は、室内の壁面に設けられる壁面アンテナ端子１に同軸ケーブル２を介して接続される。上記壁面アンテナ端子１には、図示しないが屋外に設置されたテレビアンテナにより受信した地上デジタルテレビ放送波、あるいはＣＡＴＶシステムにより送られてくる地上デジタルテレビ放送波が同軸ケーブルにより供給される。
【００２１】
上記放送波入力端子１１に入力された地上デジタルテレビ放送波は、放送波再送信部１２に入力される。この放送波再送信部１２は、ゲインコントロール付高周波増幅器１３、カプラ１４及びレベル検出部１５により構成される。高周波増幅器１３は、放送波入力端子１１に入力された地上デジタルテレビ放送波を増幅し、カプラ１４を介して放送波切替スイッチ１６へ出力する。この放送波切替スイッチ１６は、上記送信制御部２０により切替制御されるもので、切替端子ａ、ｂ及び共通端子ｃを備え、共通端子ｃに高周波増幅器１３から出力される信号がカプラ１４を介して入力される。また、放送波切替スイッチ１６の切替端子ａは再送信アンテナ１７に接続され、切替端子ｂは終端器１８を介して接地される。上記再送信アンテナ１７としては、規定された利得のものが使用される。
【００２２】
上記放送波再送信部１２のカプラ１４は、高周波増幅器１３で増幅された信号の一部を分岐してレベル検出部１５に入力する。レベル検出部１５は、カプラ１４により分岐された信号を検波して信号レベルを検出し、その検出信号を送信制御部２０に出力する。送信制御部２０は、初期動作において、高周波増幅器１３の利得を最大に設定し、その後、レベル検出部１５から出力される検出信号に基づいて高周波増幅器１３の利得を順次微小低減して微弱無線条件を満足するように調整する。
【００２３】
そして、送信制御部２０は、初期動作において、高周波増幅器１３の信号出力レベルが微弱無線局条件を満足すると通常動作に移行するが、高周波増幅器１３を調整可能な最少の利得まで下げても微弱無線局条件を満足するレベル以下にならなかった場合、再送信制御スイッチ２１をオフ（ＯＦＦ）して放送波再送信部１２への電源供給を遮断すると共にアラート（警報）を出力する。
【００２４】
一方、中継受信機３０は、マルチアンテナを構成する第１受信アンテナ３１ａ及び第２受信アンテナ３１ｂ、アンテナ切替スイッチ３２、放送波出力端子３４、受信制御部３５、リモコン受信部３６、を主体として構成され、設定用リモートコントローラ（以下、設定用リモコンと略称する）３９を備えている。この設定用リモコン３９は、少なくとも受信アンテナ３１ａ、３１ｂを切替選択するアンテナ選択ボタン及び選択した受信アンテナ３１ａ、３１ｂと視聴チャンネルとの関連付けを確定する確定ボタンを備えており、例えば赤外線を用いて操作信号をリモコン受信部３６へ送信する。
【００２５】
上記受信アンテナ３１ａ、３１ｂは、再送信機１０の再送信アンテナ１７より十分に利得の大きいものが使用され、再送信機１０から再送信されるテレビ放送波を受信し、アンテナ切替スイッチ３２を介して放送波出力端子３４へ出力する。この放送波出力端子３４には、室内に設置されている地上デジタルテレビ放送受信用のテレビ受像機５１に同軸ケーブル５２を介して接続される。上記テレビ受像機５１は、地上デジタルテレビ放送を受信する機能を備え、ＴＶリモコン（リモートコントローラ）５３によりチャンネル選択や音量調整等を行うことが可能となっている。このＴＶリモコン５３は、例えば赤外線を用いて操作信号（コマンド）をテレビ受像機５１へ送信する。
【００２６】
上記中継受信機３０は、例えば１００Ｖの商用交流電源（図示せず）に接続される電源アダプタ３７により供給される。電源アダプタ３７は、商用交流電源を所定の直流電圧に変換し、受信制御部３５に動作電圧を供給すると共に、リモコン受信部３６に動作電圧を供給する。上記リモコン受信部３６は、中継受信機３０が備える設定用リモコン３９からの操作信号（コマンド）及びテレビ受像機５１が備えるＴＶリモコン５３からのチャンネル選択の操作信号（コマンド）を受信して受信制御部３５に入力する。上記中継受信機３０は、テレビ受像機５１の近傍に設置され、ＴＶリモコン５３がテレビ受像機５１のチャンネルを選択した際、このＴＶリモコン５３からのチャンネル選択信号（コマンド）をリモコン受信部３６が受信して受信制御部３５に入力する。
【００２７】
受信制御部３５は、ＴＶリモコン５３により選択されたチャンネルに対し、設定用リモコン３９により関連付けされた受信アンテナ３１ａ、３１ｂの情報を記憶するアンテナ情報設定メモリ４０を備えている。上記アンテナ情報設定メモリ４０としては、電源が切れてもデータが保持され、且つデータの再書込みが可能なメモリ、例えばEEPROM（Electrically Erasable and Programmable ROM）が使用される。
【００２８】
上記受信制御部３５は、設定用リモコン３９の操作に基づいてアンテナ切替スイッチ３２を切替制御し、あるいはＴＶリモコン５３によるチャンネル選択操作に応じてアンテナ情報設定メモリ４０の設定内容を読出してアンテナ切替スイッチ３２の切替制御を行う。また、受信制御部３５は、電源アダプタ３７から動作電圧が供給されていない状態では受信オン／オフスイッチ３３をオフし、電源アダプタ３７から動作電圧が供給されると受信オン／オフスイッチ３３をオン状態に切替える。
【００２９】
上記室内テレビ放送再送信装置を設置した際、作業者はテレビ受像機５１のＴＶリモコン５３によりチャンネル選択を行うと共に、各チャンネル毎に中継受信機３０の設定用リモコン３９を操作して第１受信アンテナ３１ａと第２受信アンテナ３１ｂとを切替えて受信状態をチェックし、良好な受信状態が得られるように各チャンネルと受信アンテナ３１ａ、３１ｂとの関連付けを行い、その後、設定用リモコン３９の確定ボタンを操作し、上記関連付け情報をアンテナ情報設定メモリ４０に記憶する。
【００３０】
次に上記のように構成された室内テレビ放送再送信装置の動作を図２及び図３に示すフローチャートを参照して説明する。図２は再送信機１０の処理動作を示すフローチャート、図３は中継受信機３０の処理動作を示すフローチャートである。
【００３１】
上記室内テレビ放送再送信装置は、テレビ受像機５１が設置されている室の壁面アンテナ端子１の近くに再送信機１０を配置し、壁面アンテナ端子１と放送波入力端子１１との間を同軸ケーブル２により接続する。また、テレビ受像機５１の近くに中継受信機３０を配置し、放送波出力端子３４とテレビ受像機５１の入力端子との間を同軸ケーブル５２により接続する。
【００３２】
そして、上記室内テレビ放送再送信装置を動作させる場合、再送信機１０の電源をオンすると共に、中継受信機３０の電源をオンする。上記再送信機１０の電源をオンすることにより図２のフローチャートに示す送信機動作が開始され、中継受信機３０の電源をオンすることにより図３のフローチャートに示す受信機動作が開始される。
【００３３】
なお、上記の電源のオフからオン状態への移行についてはわざわざ電源スイッチを設ける必要はなく、電源アダプタの電源プラグを商用電源のコンセントに差し込むことでなし得る。
【００３４】
まず、再送信機１０の動作について説明する。
【００３５】
再送信機１０の動作は、初期動作と通常動作がある。再送信機１０の電源をオンすると（ステップＡ１）、電源アダプタ２２から出力される直流電源が送信制御部２０に供給される。このとき送信制御部２０は初期動作となり、放送波切替スイッチ１６を端子ｂ側（終端器１８側）に切替えて再送信アンテナ１７からの再送信出力を停止すると共に再送信制御スイッチ２１をオンし（ステップＡ２）、放送波再送信部１２に動作電源を供給する。
【００３６】
また、送信制御部２０は、高周波増幅器１３の利得を最大値に設定する（ステップＡ３）。これにより高周波増幅器１３は、壁面アンテナ端子１から同軸ケーブル２を介して放送波入力端子１１に入力される地上デジタルテレビ放送波を最大利得で増幅する。この高周波増幅器１３で増幅されたテレビ放送波は、カプラ１４及び放送波切替スイッチ１６を介して終端器１８へ供給される。
【００３７】
カプラ１４は高周波増幅器１３から出力されるテレビ放送波の一部を分岐し、レベル検出部１５に入力する。レベル検出部１５はカプラ１４で分岐された信号を検波し、その信号レベルを検出して送信制御部２０へ出力する。送信制御部２０は、レベル検出部１５の出力信号により、高周波増幅器１３から出力される再送信信号のレベルを検出し（ステップＡ４）、微弱無線局条件を満足するかどうかを判定する（ステップＡ５）。この判定の結果、微弱無線局条件を満足しない場合は更に高周波増幅器１３の利得調整が可能かどうかを判定し（ステップＡ６）、利得調整が可能であれば高周波増幅器１３の利得を微小低減し（ステップＡ７）、その後、ステップＡ４に戻る。
【００３８】
送信制御部２０は、以下、同様の動作を繰り返し、微弱無線局条件を満足するまで高周波増幅器１３の利得を段階的に下げる。高周波増幅器１３を調整可能な最小の利得まで下げても微弱無線局条件を満足せず、ステップＡ６で高周波増幅器１３の利得調整が不可能であると判定した場合、送信制御部２０は再送信制御スイッチ２１をオフし、放送波再送信部１２への動作電源を遮断すると共に、例えば警報器や警告灯などによるアラートを出力して利用者に知らせる（ステップＡ８）。
【００３９】
また、送信制御部２０は、上記ステップＡ５において、高周波増幅器１３の利得を段階的に下げることで微弱無線局条件を満足すると判定した場合に通常動作に移行し、放送波切替スイッチ１６を端子ａ側（再送信アンテナ１７側）に切替え（ステップＡ９）、放送波再送信部１２から出力されるテレビ放送波を再送信アンテナ１７へ出力する。これにより再送信アンテナ１７から地上デジタルテレビ放送波が再送信され、中継受信機３０へ送られる。
【００４０】
一方、中継受信機３０の動作は、図３のフローチャートに示すように通常動作と、視聴チャンネルと第１受信アンテナ３１ａあるいは第２受信アンテナ３１ｂとの関連付けを行う関連付け動作がある。
【００４１】
中継受信機３０は、電源がオンされると（ステップＢ１）、電源アダプタ３７から出力される直流電源が受信制御部３５に供給される。このとき受信制御部３５は通常動作となり、アンテナ切替スイッチ３２で選択された第１受信アンテナ３１ａあるいは第２受信アンテナ３１ｂの受信信号を放送波出力端子３４からテレビ受像機５１へ出力する。テレビ受像機５１は、再送信機１０の再送信アンテナ１７から出力される再送信波を中継受信機３０を介して受信することで、地上デジタルテレビ放送を視聴することが可能となる。
【００４２】
上記受信制御部３５は、リモコン受信部３６による赤外線通信の検知動作により（ステップＢ２）、赤外線通信の受信があるかどうかを判定する（ステップＢ３）。赤外線通信の受信がない場合はステップＢ２に戻り、赤外線通信の検知動作を継続する。
【００４３】
上記ステップＢ３で設定用リモコン３９あるいはＴＶリモコン５３からの赤外線通信を受信したと判定されると、受信情報はＴＶリモコン５３からのチャンネル情報であるかどうかを判定する（ステップＢ４）。チャンネル情報であれば無線受信部３６で受信したチャンネル情報、すなわちＴＶリモコン５３により選択されたチャンネル情報を受信制御部３５内のチャンネル情報一時記憶メモリ（図示せず）に記憶し（ステップＢ５）、これにより受信制御部３５はテレビ受像機５１で現在視聴されているチャンネルを把握する。アンテナ情報設定メモリ４０からチャンネル情報に対応するアンテナ情報の取得処理を行い（ステップＢ６）、アンテナ情報を取得できたかどうかを判定する（ステップＢ７）。アンテナ情報設定メモリ４０に何も情報が書込まれておらず、アンテナ情報を取得できなかった場合は、ステップＢ２に戻る。
【００４４】
また、ステップＢ７でアンテナ情報設定メモリ４０に設定されているアンテナ情報を取得できた場合は、このアンテナ情報によりアンテナ切替スイッチ３２を切替えて第１受信アンテナ３１ａあるいは第２受信アンテナ３１ｂを選択し（ステップＢ８）、ステップＢ２へ戻る。
【００４５】
また、上記ステップＢ４でリモコン受信部３６の受信情報がチャンネル情報でないと判断された場合は、設定用リモコン３９から送られてきた情報かどうかを判断し（ステップＢ９）、設定用リモコン３９からの情報であれば現在の視聴チャンネルとアンテナとを関連付ける関連付け動作に移行する。この関連付け動作では、設定用リモコン３９から送られてきた情報がアンテナの手動切替のコマンドであるか、あるいはアンテナ情報設定メモリ４０への書込みを確定するメモリ確定コマンドであるかを判定し（ステップＢ１０）、アンテナの手動切替のコマンドであればアンテナ切替スイッチ３２を切替えて第１受信アンテナ３１ａあるいは第２受信アンテナ３１ｂを選択し（ステップＢ１１）、ステップＢ２に戻る。
【００４６】
また、上記ステップＢ１０において、メモリ確定コマンドであると判定された場合、受信制御部３５はテレビ受像機５１における現在の視聴チャンネル情報と現在選択されているアンテナ情報とを関連付けてアンテナ情報設定メモリ４０に書込む（ステップＢ１２）。地上デジタルテレビ放送の受信機能を備えたテレビ受像機５１は、受信レベルを表示する機能も備えているので、表示された受信レベルを確認しながら設定用リモコン３９により第１受信アンテナ３１ａと第２受信アンテナ３１ｂとを切替え、受信状態の良好なアンテナを選択して関連付け確定ボタンを操作し、視聴チャンネルと受信アンテナ３１ａ、３１ｂとの関連付けを行う。この場合、テレビ受像機５１に表示される実際の受像の良否を判定して設定用リモコン３９により第１受信アンテナ３１ａと第２受信アンテナ３１ｂとを切替え、受信状態の良好なアンテナを選択して関連付けを確定するようにしても良い。
【００４７】
以下、同様にして作業者は、ＴＶリモコン５３及び設定用リモコン３９を操作し、各視聴チャンネルと良好な受信状態が得られる受信アンテナ３１ａ、３１ｂとの関連付けを行ってアンテナ情報設定メモリ４０に記憶する。
【００４８】
上記のように各視聴チャンネルと良好な受信状態が得られる受信アンテナ３１ａ、３１ｂとの関連付けを行った後、ＴＶリモコン５３によりテレビ受像機５１のチャンネルの切替操作を行うと、ＴＶリモコン５３から出力されるチャンネル切替のコマンドがテレビ受像機５１で受信されると共に、中継受信機３０のリモコン受信部３６において受信される。
【００４９】
受信制御部３５は、ＴＶリモコン５３からのチャンネル情報をリモコン受信部３６で受信すると、ステップＢ４からステップＢ６に進み、アンテナ情報設定メモリ４０からチャンネル情報に対応するアンテナ情報を取得し、そのアンテナ情報によりアンテナ切替スイッチ３２を切替えて第１受信アンテナ３１ａあるいは第２受信アンテナ３１ｂを選択する。選択された第１受信アンテナ３１ａあるいは第２受信アンテナ３１ｂで受信された地上デジタルテレビ放送波は放送波出力端子３４を介してテレビ受像機５１へ送られる。
【００５０】
この結果、ＴＶリモコン５３によりテレビ受像機５１の視聴チャンネルを切替えると、アンテナ情報設定メモリ４０の設定情報が参照され、そのチャンネルにおいて良好な受信状態が得られる第１受信アンテナ３１ａあるいは第２受信アンテナ３１ｂが自動的に選択される。従って、多数のマルチパスによって周波数選択性フェージングが生じている室内で地上デジタルテレビ放送を視聴する場合であっても、簡易な制御ブロック及び制御手順で複数のアンテナの中から最適なアンテナを各視聴チャンネル毎に選択して常に良好な受像状態に設定することができる。
【００５１】
なお、上記実施例１では、中継受信機３０に２つの受信アンテナ３１ａ、３１ｂを設けた場合について示したが、３つ以上の複数の受信アンテナを設け、各チャンネル毎に最適なアンテナを選択し、関連付けを行ってアンテナ情報設定メモリ４０に設定するようにしても良い。
【００５２】
また、上記実施例１では、中継受信機３０に複数の受信アンテナを内蔵する場合について示したが、複数の受信アンテナを外部に設けて中継受信機３０に接続するようにしても良い。
【実施例２】
【００５３】
次に本発明の実施例２に係る室内テレビ放送再送信装置について説明する。
【００５４】
図４は本発明の実施例２に係る偏波ダイバーシチ効果を利用した室内テレビ放送再送信装置の構成を示すブロック図である。なお、実施例１に係る室内テレビ放送再送信装置と同一部分には同一符号を付して詳細な説明は省略する。
【００５５】
この実施例２に係る室内テレビ放送再送信装置は、再送信機１０Ａ及び中継受信機３０Ａを備えている。再送信機１０Ａは、実施例１における再送信機１０の再送信アンテナ１７に代えて水平偏波再送信アンテナ１７Ｈ及び垂直偏波再送信アンテナ１７Ｖを備え、放送波再送信部１２から放送波切替スイッチ１６を介して出力される再送信信号をアンテナ切替スイッチ１９により切替えて水平偏波再送信アンテナ１７Ｈと垂直偏波再送信アンテナ１７Ｖに供給する。また、再送信機１０Ａは、中継受信機３０Ａから送られてくる送信要求信号及びアンテナ選択情報を受信する無線受信部２３を備えている。この無線受信部２３には、電源アダプタ２２から動作電源が供給される。上記無線受信部２３は、例えば赤外線、超音波、あるいはＩＳＭ帯電波による無線通信により中継受信機３０Ａからの送信要求信号を受信する。この無線受信部２３により受信した信号は、送信制御部２０へ送られる。この送信制御部２０は、無線受信部２３が受信した送信要求信号に基づいて放送波切替スイッチ１６及び再送信制御スイッチ２１を制御すると共に、無線受信部２３が受信したアンテナ選択情報に基づいてアンテナ切替スイッチ１９を切替制御する。
【００５６】
上記送信制御部２０は、初期動作から通常動作に移行した際に動作する送信タイマ２４を備えている。この送信タイマ２４は、一定周期のクロックパルスによりインクリメント動作を行うもので規定値（リミット値）が設定されており、この規定値を超えると再送信制御スイッチ２１をオフすると共に放送波切替スイッチ１６を端子ｂ側（終端器１８側）に切替えて送信を停止する。上記送信タイマ２４は、中継受信機３０Ａから送られてくる送信要求信号を受信する度にリセットされる。上記送信要求信号は中継受信機３０Ａから一定周期で間欠的に出力されるが、送信タイマ２４の規定値を少しだけ長い周期に設定する。
【００５７】
再送信機１０Ａは、上記のように送信タイマ２４の規定値を送信要求信号の周期より少しだけ長く設定することで、中継受信機３０Ａから送信要求信号を受信している間、放送波切替スイッチ１６を端子ａ側（アンテナ切替スイッチ１９側）に接続し、水平偏波再送信アンテナ１７Ｈあるいは垂直偏波再送信アンテナ１７Ｖからテレビ放送波を永続的に再送信する。上記送信タイマ２４の規定値は、例えば数秒に設定される。
【００５８】
一方、中継受信機３０Ａは、実施例１における中継受信機３０の第１受信アンテナ３１ａ及び第２受信アンテナ３１ｂに代えて水平偏波受信アンテナ３１Ｈ及び垂直偏波受信アンテナ３１Ｖを備えると共に、再送信機１０Ａに対して送信要求信号及びアンテナ選択情報を出力する無線送信部４５を備えている。この無線送信部４５は、電源アダプタ３７から動作電源が供給され、受信制御部３５から出力される送信要求信号及びアンテナ選択情報を再送信機１０Ａ側へ送信する。上記無線送信部４５と再送信機１０Ａに設けられる無線受信部２３は対をなしており、例えば赤外線、超音波、あるいはＩＳＭ帯電波による無線通信により送信要求信号及びアンテナ選択情報を送受信する。
【００５９】
上記受信制御部３５は、リモコン受信部３６の受信情報に従ってアンテナ切替スイッチ３２を切替制御すると共に、アンテナの切替えに応じてアンテナ選択情報を無線送信部４５から再送信機１０Ａへ送信する。また、受信制御部３５は、電源がオンされて動作電源が供給されている間、送信要求信号を無線送信部４５から再送信機１０Ａへ送出する。
【００６０】
上記室内テレビ放送再送信装置を設置した際、作業者はテレビ受像機５１のＴＶリモコン５３によりチャンネル選択を行うと共に、各チャンネルにおいて中継受信機３０の設定用リモコン３９を操作して水平偏波受信アンテナ３１Ｈと垂直偏波受信アンテナ３１Ｖとを切替えて受信状態をチェックし、良好な受信状態が得られるように各チャンネルと水平偏波受信アンテナ３１Ｈあるいは垂直偏波受信アンテナ３１Ｖとの関連付けを行い、その後、設定用リモコン３９の確定ボタンを操作し、上記関連付け情報をアンテナ情報設定メモリ４０に記憶する。
【００６１】
次に上記実施例２に係る室内テレビ放送再送信装置の動作を説明する。
【００６２】
上記室内テレビ放送再送信装置を動作させる場合は、再送信機１０Ａの電源をオンすると共に、中継受信機３０Ａの電源をオンする。上記再送信機１０Ａは、電源がオンされると、電源アダプタ２２から出力される動作電源が送信制御部２０及び無線受信部２３に供給され、送信制御部２０により図５Ａ、図５Ｂのフローチャートに示す送信機動作を開始する。また、中継受信機３０Ａは、電源がオンされると、電源アダプタ３７から出力される動作電源が受信制御部３５及び無線送信部４５に供給され、受信制御部３５により図６Ａ、図６Ｂのフローチャートに示す受信動作を開始する。
【００６３】
上記再送信機１０Ａは、電源アダプタ２２から動作電源が供給されると、図５Ａのフローチャートに示すステップＡ１〜Ａ８の初期動作を実行し、その後、図５Ｂのフローチャートに示す通常動作に移行する。
【００６４】
上記ステップＡ１〜Ａ８の初期動作は、実施例１の図２に示したステップＡ１〜Ａ８の初期動作と同じであるので、詳細な説明は省略する。
【００６５】
送信制御部２０は、上記初期動作のステップＡ５において、高周波増幅器１３から出力される再送信信号のレベルが微弱無線局条件を満足すると判定すると、図５ＢのステップＡ１１〜Ａ２２に示す通常動作に移行する。ステップＡ１１では、放送波切替スイッチ１６を端子ｂ側（終端器１８側）に切替えた状態に保持したまま、再送信制御スイッチ２１をオフし、放送波再送信部１２への動作電源を遮断する。
【００６６】
次いで送信制御部２０は、無線受信部２３における受信信号の検出処理を行い（ステップＡ１２）、中継受信機３０Ａからの送信要求信号、アンテナ選択信号を受信したかどうかをチェックし（ステップＡ１３）、受信信号があれば、先ずアンテナ選択信号かどうかを判断する（ステップＡ１４）。アンテナ選択信号を受信した場合、送信制御部２０は水平偏波再送信アンテナ１７Ｈと垂直偏波再送信アンテナ１７Ｖの何れを選択する信号であるかを判断し（ステップＡ１５）、水平偏波再送信アンテナ１７Ｈを選択する信号であればアンテナ切替スイッチ１９を水平偏波再送信アンテナ１７Ｈ側に切替え（ステップＡ１６）、ステップＡ１２に戻る。また、ステップＡ１５で垂直偏波再送信アンテナ１７Ｖを選択する信号であると判断した場合は、アンテナ切替スイッチ１９を垂直偏波再送信アンテナ１７Ｖ側に切替え（ステップＡ１７）、ステップＡ１２に戻る。
【００６７】
また、上記ステップＡ１４で受信信号がアンテナ選択信号ではないと判断した場合は、送信要求信号であるかどうかを判断し（ステップＡ１８）、送信要求信号であれば放送波切替スイッチ１６をアンテナ側に切替えると共に、再送信制御スイッチ２１をオンして電源アダプタ２２からの動作電源を放送波再送信部１２に供給する（ステップＡ１９）。これにより放送波再送信部１２が動作し、放送波入力端子１１に入力されている地上デジタルテレビ放送波を高周波増幅器１３により増幅し、カプラ１４、放送波切替スイッチ１６、アンテナ切替スイッチ１９を介して水平偏波再送信アンテナ１７Ｈあるいは垂直偏波再送信アンテナ１７Ｖへ出力する。アンテナ切替スイッチ１９は、中継受信機３０Ａからのアンテナ選択情報に従って動作し、水平偏波アンテナが要求されていれば水平偏波再送信アンテナ１７Ｈ側に切替え、また、垂直偏波アンテナが要求されていれば垂直偏波再送信アンテナ１７Ｖ側に切替える。これにより再送信機１０Ａは、中継受信機３０Ａからのアンテナ選択情報に従って水平偏波再送信アンテナ１７Ｈあるいは垂直偏波再送信アンテナ１７Ｖを使用し、適正レベルの地上デジタルテレビ放送波を中継受信機３０Ａ側へ再送信する。
【００６８】
その後、送信制御部２０は送信タイマ２４をリセットし（ステップＡ２０）、ステップＡ１２、Ａ１３に戻って中継受信機３０Ａからの送信要求信号及びアンテナ選択情報の検出処理を行う。
【００６９】
上記記ステップＡ１３で中継受信機３０Ａから送信要求信号、アンテナ選択情報が送られてきていないと判断された場合、あるいはステップＡ１８で中継受信機３０Ａから送られてきた情報が送信要求信号ではないと判断された場合は、送信タイマ２４のカウント値が規定値以上に達したかどうかを判定し（ステップＡ２１）、規定値以上でなければ送信タイマ２４をカウントアップし（ステップＡ２２）、ステップＡ１２に戻る。また、ステップＡ２２で、送信タイマ２４のカウント値が規定値以上であると判定された場合は、ステップＡ１１に戻り、再送信制御スイッチ２１をオフして放送波再送信部１２への動作電源を遮断すると共に、放送波切替スイッチ１６を端子ｂ側（終端器１８側）に切替えて地上デジタルテレビ放送波の再送信を停止する。
【００７０】
上記送信タイマ２４の規定値は、中継受信機３０Ａの送信要求信号の周期より少し長く設定されているので、中継受信機３０Ａから一定周期の送信要求信号が送られてきている間、送信タイマ２４は規定値に達する前にリセットされ、再送信機１０Ａから再送信波が永続的に送信される。
【００７１】
しかし、中継受信機３０Ａからの送信要求信号が停止されて送信タイマ２４のカウントアップ動作が継続され、ステップＡ２１で送信タイマ２４が規定値に達したと判定されるとステップＡ１１に戻り、再送信制御スイッチ２１をオフすると共に放送波切替スイッチ１６を端子ｂ（終端器１８側）に切替えて放送波の再送信動作を停止する。
【００７２】
一方、中継受信機３０Ａは、電源がオンされて電源アダプタ３７から動作電源が供給されると、図６Ａのフローチャートに示す初期動作を実行し、その後、図６Ｂのフローチャートに示す通常動作及び視聴チャンネルとアンテナとの関連付け動作に移行する。
【００７３】
中継受信機３０Ａは、電源がオンされ（ステップＣ１）、電源アダプタ３７から動作電源が受信制御部３５に供給されると、受信制御部３５により図６Ａに示す初期動作を実行する。
【００７４】
受信制御部３５は、アンテナ情報設定メモリ４０から現在のチャンネル情報に対応するアンテナ情報を取得し（ステップＣ２）、このアンテナ情報に従ってアンテナ切替スイッチ３２を切替え（ステップＣ３）、水平偏波受信アンテナ３１Ｈまたは垂直偏波受信アンテナ３１Ｖを選択する。また、受信制御部３５は、アンテナ情報設定メモリ４０から取得したアンテナ情報に従って「アンテナ選択情報」を無線送信部４５から再送信機１０Ａに送信し（ステップＣ４）、その後、図６Ｂに示す通常動作に移行する。
【００７５】
また、受信制御部３５は、リモコン受信部３６による設定用リモコン３９あるいはＴＶリモコン５３からの赤外線通信の検知動作により（ステップＣ５）、赤外線通信の受信があるかどうかを判定する（ステップＣ６）。赤外線通信の受信がない場合は「送信要求信号」を無線送信部４５から再送信機１０Ａに送信し（ステップＣ７）、ステップＣ５に戻る。また、上記ステップＣ６で設定用リモコン３９あるいはＴＶリモコン５３からの赤外線通信を受信したと判定されると、受信情報はＴＶリモコン５３からのチャンネル情報であるかどうかを判定する（ステップＣ８）。受信情報がチャンネル情報であればＴＶリモコン５３により選択されたチャンネル情報を、現在の視聴チャンネルとして受信制御部３５内のチャンネル情報一時記憶メモリ（図示せず）に記憶し（ステップＣ９）、アンテナ情報設定メモリ４０からチャンネル情報に対応するアンテナ情報の取得処理を行い（ステップＣ１０）、アンテナ情報を取得できたかどうかを判定する（ステップＣ１１）。アンテナ情報設定メモリ４０に何も情報が書込まれておらず、アンテナ情報を取得できなかった場合は、ステップＣ５に戻る。
【００７６】
上記ステップＣ１１でアンテナ情報設定メモリ４０からアンテナ情報を取得できた場合、受信制御部３５は、取得したアンテナ情報に従ってアンテナ切替スイッチ３２を切替えて水平偏波受信アンテナ３１Ｈまたは垂直偏波受信アンテナ３１Ｖを選択し（ステップＣ１２）、その後、上記アンテナ情報に従って「アンテナ選択情報」を無線送信部４５から再送信機１０Ａへ送信する（ステップＣ１３）。
【００７７】
また、上記ステップＣ８においてリモコン受信部３６の受信情報がチャンネル情報でないと判断された場合、受信制御部３５はリモコン受信部３６の受信情報が設定用リモコン３９から送られてきた情報かどうかを判断し（ステップＣ１４）、設定用リモコン３９からの情報でなければステップＣ５に戻り、設定用リモコン３９からの情報であれば現在の視聴チャンネルとアンテナとの関連付け動作に移行する。この関連付けの動作では、設定用リモコン３９から送られてきた情報がアンテナの手動切替のコマンドであるか、あるいはアンテナ情報設定メモリ４０への書込みを確定するメモリ確定コマンドであるかを判定し（ステップＣ１５）、アンテナの手動切替のコマンドであればアンテナ切替スイッチ３２を切替えて水平偏波受信アンテナ３１Ｈあるいは垂直偏波受信アンテナ３１Ｖを選択する（ステップＣ１６）。そして、受信制御部３５は、ステップＣ１６にて選択されたアンテナ情報に基づいて「アンテナ選択情報」を無線送信部４５から再送信機１０Ａへ送信し（ステップＣ１７）、その後、ステップＣ１６に戻る。
【００７８】
また、上記ステップＣ１５において、メモリ確定コマンドであると判定された場合、受信制御部３５はテレビ受像機５１における現在の視聴チャンネル情報と現在選択されているアンテナ情報とを関連付けてアンテナ情報設定メモリ４０に書込み（ステップＣ１８）、ステップＣ５に戻る。
【００７９】
作業者は各チャンネルにおいて、テレビ受像機５１に表示される受信レベルあるいは表示画像を確認しながら設定用リモコン３９により水平偏波受信アンテナ３１Ｈと垂直偏波受信アンテナ３１Ｖとを切替えて受信状態の良好な受信アンテナを選択し、視聴チャンネルと受信アンテナとの関連付けを行った後、確定ボタンを操作してアンテナ情報設定メモリ４０に記憶する。
【００８０】
上記のように各視聴チャンネルと良好な受信状態が得られる受信アンテナ３１Ｈ、３１Ｖとの関連付けを行った後、ＴＶリモコン５３によりテレビ受像機５１のチャンネルの切替操作を行うと、ＴＶリモコン５３から出力されるチャンネル切替のコマンドがテレビ受像機５１で受信されると共に、中継受信機３０Ａのリモコン受信部３６において受信される。
【００８１】
受信制御部３５は、ＴＶリモコン５３からのチャンネル情報をリモコン受信部３６で受信すると、アンテナ情報設定メモリ４０からチャンネル情報に対応するアンテナ情報を取得し、そのアンテナ情報によりアンテナ切替スイッチ３２を切替えて水平偏波受信アンテナ３１Ｈあるいは垂直偏波受信アンテナ３１Ｖを選択すると共に、「アンテナ選択情報」を無線送信部４５から再送信機１０Ａへ送信する。
【００８２】
再送信機１０Ａは、中継受信機３０Ａから送られてくる「アンテナ選択情報」を無線受信部２３にて受信し、送信制御部２０へ出力する。送信制御部２０は、中継受信機３０Ａから送られてきた「アンテナ選択情報」に従ってアンテナ切替スイッチ１９を切替え、水平偏波再送信アンテナ１７Ｈあるし垂直偏波再送信アンテナ１７Ｖを選択し、再送信電波の偏波面を中継受信機３０Ａ側のアンテナの偏波面と一致させる。
【００８３】
この結果、偏波ダイバーシチ受信が行われ、テレビ受像機５１の各チャンネルにおける受像状態を常に良好な状態に保つことができる。
【００８４】
上記実施例１、２に示したように、室内テレビ放送再送信装置を使用して地上デジタルテレビ放送をテレビ受像機５１へ再送信する場合に、中継受信機３０、３０Ａに複数のアンテナを設け、テレビ受像機５１の各チャンネル毎に良好な受像状態が得られるように上記アンテナを選択し、該選択したアンテナと対応するチャンネルとを関連付けてアンテナ情報設定メモリ４０に設定し、ＴＶリモコン５３でテレビ受像機５１のチャンネルを切替えた際、上記アンテナ情報設定メモリ４０からチャンネル情報に対応したアンテナ情報を取得してアンテナを切替えることにより、簡易な制御ブロック及び制御手順で最適なアンテナを選択することができ、室内利用に適した良好なテレビ受像が可能となる。
【００８５】
なお、上記実施例２では、中継受信機３０Ａから一定周期の間欠的な送信要求信号を出力する場合について示したが、連続する波形の送信要求信号を出力するようにしても良い。この場合、再送信機１０Ａは中継受信機３０Ａから送られてくる送信要求信号を受信している間、送信制御部２０の制御により再送信制御スイッチ２１をオンして放送波再送信部１２に動作電源を供給し、上記送信要求信号の送信が停止された際に再送信制御スイッチ２１をオフして放送波再送信部１２の動作を停止する。上記のように送信要求信号を連続波形とした場合には、放送波再送信部１２に送信タイマを設けることなく、再送信制御スイッチ２１及び放送波切替スイッチ１６を制御することが可能である。
【００８６】
また、実施例２では中継受信機３０Ａから送信要求信号を出力して再送信機１０Ａの動作を継続するようにしたが、この技術を実施例１に示した室内テレビ放送再送信装置に適用することも可能である。
【００８７】
また、上記実施例１、２では、放送波再送信部１２に高周波増幅器１３を設けてテレビ放送波を増幅する場合について示したが、高周波増幅器１３に代えて例えばアッテネータ等の信号レベル調整手段を設けても良い。
【００８８】
また、上記実施例１、２では、室内テレビ放送再送信装置を設置した際、作業者が視聴チャンネルとアンテナの関連付けを設定する場合について示したが、その後、室内の環境が変化した場合等において、テレビ受像機５１を視聴するユーザが視聴チャンネルとアンテナの関連付けを任意に設定することが可能である。
【００８９】
また、本発明は、上記実施の形態そのままに限定されるものではなく、実施段階ではその要旨を逸脱しない範囲で構成要素を変形して具体化できるものである。
【符号の説明】
【００９０】
１…壁面アンテナ端子、２…同軸ケーブル、１０、１０Ａ…再送信機、１１…放送波入力端子、１２…放送波再送信部、１３…高周波増幅器、１４…カプラ、１５…レベル検出部、１６…放送波切替スイッチ、１７…再送信アンテナ、１７Ｈ…水平偏波再送信アンテナ、１７Ｖ…垂直偏波再送信アンテナ、１８…終端器、１９…アンテナ切替スイッチ、２０…送信制御部、２１…再送信制御スイッチ、２２…電源アダプタ、２３…無線受信部、２４…送信タイマ、３０、３０Ａ…中継受信機、３１ａ…第１受信アンテナ、３１ｂ…第２受信アンテナ、３１Ｈ…水平偏波受信アンテナ、３１Ｖ…垂直偏波受信アンテナ、３２…アンテナ切替スイッチ、３４…放送波出力端子、３５…受信制御部、３６…リモコン受信部、３７…電源アダプタ、３９…設定用リモコン、４０…アンテナ情報設定メモリ、４５…無線送信部、５１…テレビ受像機、５２…同軸ケーブル、５３…ＴＶリモコン。
【図１】
2011217096.tif 000003
【図２】
2011217096.tif 000004
【図３】
2011217096.tif 000005
【図４】
2011217096.tif 000006
【図５Ａ】
2011217096.tif 000007
【図５Ｂ】
2011217096.tif 000008
【図６Ａ】
2011217096.tif 000009
【図６Ｂ】
2011217096.tif 000010